(57)【特許請求の範囲】
【請求項１】
本体と、
前記本体に配置され、操作項目を実行するための複数の操作キーを有する第１操作部と、
前記第１操作部の少なくとも一部分に重なるように配置されて前記第１操作部の少なくとも一部分に位置している操作キーを操作して別の操作項目を実行する複数の操作キーを有する第２操作部と、
前記第２操作部を回転することで前記第２操作部を前記第１操作部から離す際に、その回転速度を低減するためのヒンジ部と、を備え、
前記第１操作部は、前記操作キーの１つとしてカーソルキーを有し、前記第２操作部は、前記第２操作部を前記第１操作部の少なくとも一部分に重なるように配置した状態で前記カーソルキーを露出させるための穴部を有する
入力装置。
【請求項２】
前記第２操作部を前記第１操作部の少なくとも一部分に重なるように配置した状態で、前記第２操作部を前記第１操作部に対して着脱自在に固定する固定部を有する
請求項１に記載の入力装置。
【請求項３】
前記第２操作部を前記第１操作部の少なくとも一部分に重なるように配置した状態を検知して、前記第１操作部の前記複数の操作キーの第１操作モードから前記第２操作部の前記複数の操作キーの第２操作モードに変換するための変換指示信号を発生する検知部を有する
請求項２に記載の入力装置。
【請求項４】
前記固定部による前記第２操作部の固定状態を解除する固定状態解除部を有する
請求項２に記載の入力装置。
【請求項５】
前記ヒンジ部は、前記第２操作部が回転するのを制御する開き動作制御機構部を有し、
前記開き動作制御機構部は、前記固定状態解除部の操作により前記固定部による前記第２操作部の固定状態を解除すると、前記第２操作部を前記第１操作部側から付勢力により離すための付勢部材と、
前記付勢部材の付勢力により前記第１操作部側から前記第２操作部が離れる速度を低減するダンパー部と、
を有する請求項４に記載の入力装置。
【請求項６】
映像表示装置の各種操作を遠隔コントロールするためのリモートコマンダである
請求項１に記載の入力装置。
【発明の詳細な説明】
【０００１】
【発明の属する技術分野】
本発明は、たとえばテレビジョン受像機のような電子機器を操作するためのリモートコマンダ等の入力装置に関するものである。
【０００２】
【従来の技術】
例えば光ディスクプレーヤやテレビジョン受像機などのＡＶ（オーディオビジュアル）機器やエアコンディショナ（空調機）などの家庭用の電子機器、あるいはその他の電子機器については、最近ではほとんどのものが、リモートコマンダ（リモートコントローラともいう）を用いて遠隔操作することができる。
【０００３】
【発明が解決しようとする課題】
この種のリモートコマンダは、本体の操作部に対して扉が設けられている形式のものがある。この扉は、操作者が手で開けることにより、リモートコマンダの本体の操作部に配置されている操作キーに触れることができる。この扉は支点部のコイルバネのみで開く方向に付勢されているので、使用者が扉を開けようとすると扉はコイルバネの付勢力により勢いよく開く構造であり、高級感に欠けてしまう。
また、扉を開けて本体の操作部の操作キーを操作する構造であるので、操作キーの数を増やしたい場合には、扉が邪魔となり、限られたリモートコマンダの面積では操作キーを増やして操作項目を増やすことができないという問題がある。
そこで本発明は上記課題を解消し、第１操作部に対して第２操作部を新たに設けて、操作項目を増やすことができるとともに、第２操作部を第１操作部に対して急激に開くことがなく高級感を演出することができる入力装置を提供することを目的としている。
【０００４】
【課題を解決するための手段】
上記の目的を達成するため、請求項１に記載の発明は、本体と、本体に配置され、操作項目を実行するための複数の操作キーを有する第１操作部と、第１操作部の少なくとも一部分に重なるように配置されて第１操作部の少なくとも一部分に位置している操作キーを操作して別の操作項目を実行する複数の操作キーを有する第２操作部と、第２操作部を回転することで第２操作部を第１操作部から離す際に、その回転速度を低減するためのヒンジ部と、を備え、第１操作部は、操作キーの１つとしてカーソルキーを有し、第２操作部は、第２操作部を第１操作部の少なくとも一部分に重なるように配置した状態でカーソルキーを露出させるための穴部を有するものである。
【０００５】
上記請求項１に記載の発明において、第１操作部は本体に配置されて複数の操作キーを有している。第２操作部は、第１操作部の少なくとも一部分に重なるように配置されて第１操作部の少なくとも一部分に位置している操作キーを操作することで別の操作項目を実行するための複数の操作キーを有している。ヒンジ部は、第２操作部を回転することで第２操作部を第１操作部から離す際にその回転速度を低減するものである。これにより、第２操作部を第１操作部の少なくとも一部分に重なるように配置することで、第２操作部の操作キーにより、第１操作部の操作キーで実行する操作項目以外の別の操作項目を新たに実行することができる。しかも、第２操作部を回転することで第２操作部を第１操作部から離す際に、その回転速度をヒンジ部が低減するので、急激に第２操作部が回転することがなく、使用上の高級感を演出することができる。
【０００６】
さらに、第１操作部は操作キーの１つとしてカーソルキーを有しており、第２操作部は第２操作部を第１操作部の少なくとも一部分に重なるように配置した状態でこのカーソルキーを露出するための穴部を有している。これにより第２操作部を第１操作部の少なくとも一部分に重なるように配置した状態であっても、第１操作部のカーソルキーを操作者が操作することができる。
【０００７】
請求項２の発明は、請求項１に記載の入力装置において、前記第２操作部を前記第１操作部の少なくとも一部分に重なるように配置した状態で、前記第２操作部を前記第１操作部に対して着脱自在に固定する固定部を有する。請求項２では、第２操作部を第１操作部の少なくとも一部分に重なるように配置した状態で、第２操作部を第１操作部に対して固定部が着脱自在に固定することができる。
【０００８】
請求項３の発明は、請求項２に記載の入力装置において、前記第２操作部を前記第１操作部の少なくとも一部分に重なるように配置した状態を検知して、前記第１操作部の前記複数の操作キーの第１操作モードから前記第２操作部の前記複数の操作キーの第２操作モードに変換するための変換指示信号を発生する検知部を有する。請求項３では、検知部は、第２操作部を第１操作部の少なくとも一部分に重なるように配置した状態で検知して、第１操作部の複数の操作キーの第１操作モードから第２操作部の複数の操作キーの第２操作モードに変換するための変換指示信号を発生する。これにより、第２操作部が第１操作部の少なくとも一部分に重なるような状態では、第２操作部の複数の操作キーを操作して第２操作モードにおける操作項目を実行することができる。また第２操作部を回転して第２操作部を第１操作部から離した状態では、第１操作部の複数の操作キーを操作して第１操作モードにおける操作項目を実行することができる。
【０００９】
請求項４の発明は、請求項２に記載の入力装置において、前記固定部による前記第２操作部の固定状態を解除する固定状態解除部を有する。請求項４では、固定状態解除部は、固定部による第２操作部の固定状態を簡単に解除することができる。
【００１０】
請求項５の発明は、請求項４に記載の入力装置において、前記ヒンジ部は、前記第２操作部が回転するのを制御する開き動作制御機構部を有し、前記開き動作制御機構部は、前記固定状態解除部の操作により前記固定部による前記第２操作部の固定状態を解除すると、前記第２操作部を前記第１操作部側から付勢力により離すための付勢部材と、前記付勢部材の付勢力により前記第１操作部側から前記第２操作部が離れる速度を低減するダンパー部と、を有する。請求項５では、ヒンジ部は第２操作部が回転するのを制御する開き動作制御機構部を有している。この開き動作制御機構部は、付勢部材とダンパー部を有している。付勢部材は、固定状態解除部の操作により固定部による第２操作部の固定状態を解除すると、第２操作部を第１操作部側から付勢力により離す。この時に、ダンパー部は、付勢部材の付勢力により第１操作部側から第２操作部が離れる速度を低減する。これにより、第２操作部を回転することで第２操作部を第１操作部から離す際にその動作の高級感を演出することができる。
【００１１】
請求項６の発明は、請求項１に記載の入力装置において、映像表示装置の各種操作を遠隔コントロールするためのリモートコマンダである。請求項６では、映像表示装置の各種操作を遠隔コントロールするためのリモートコマンダである。
【００１２】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１は、本発明の入力装置の好ましい実施の形態であるリモートコマンダと、そのリモートコマンダを用いる電子機器としてテレビジョン受像機の例を示している。
入力装置としてのリモートコマンダ１０は、テレビジョン受像機１２に対してたとえば赤外線１４により、各種の操作項目を指示することができるようになっている。このテレビジョン受像機１２は、赤外線の受光部１６を有しており、リモートコマンダ１０は赤外線の発光部１８を有している。赤外線の発光部１８から生じる赤外線を赤外線の受光部１６で受光することで、操作者はリモートコマンダ１０を用いてテレビジョン受像機１２に所望の操作項目の指示ができる。
このテレビジョン受像機１２は、たとえばデジタル放送に対応して、画像を表示できる機能を有している。リモートコマンダ１０は使用者が手Ｈで持って使用者する形式のものを例に示している。
【００１４】
図２と図３はリモートコマンダ１０を示す斜視図であり、図４と図５はリモートコマンダ１０の平面図である。
図２〜図５を参照すると、リモートコマンダ１０は、概略的には本体２０、第１操作部４０、第２操作部１００、ヒンジ部１４０を有している。
図２と図３における第１操作部４０は、本体２０に対して一体に設けられている。本体２０の中には、各種回路基板や電子部品が収納されている。本体２０と第１操作部４０のベース板４１は、たとえばプラスチックにより作られている。
【００１５】
第１操作部４０について説明する。
第１操作部４０のベース板４１は、図３と図５に示すように、カーソルキー４２、各種の操作キー４３，４４，４５，４６，４７，４８、操作キー４９，５０，５１，５２、選局用の操作キー配置部５３、そしてもう１つの選局用の操作キー配置部５４、音量調節用の操作キー５５およびチャンネル選択用の操作キー５６を有している。
カーソルキー４２は、６つの操作キー４３〜４８の中心位置に位置しており、図４と図５に示すように上方向、下方向、左方向、右方向へのカーソル操作と、決定操作を指で押すことにより行うことができる操作キーである。
【００１６】
操作キー４３〜４８は、カーソルキー４２を中心として円弧状に配列されており、たとえば操作キー４３はオフタイマーキーであり、操作キー４４はワイド切換キーであり、操作キー４５はメニュー選択キーである。
操作キー４６はＤＲＣ−ＭＦ（デジタルリアリティクリエイションマルチファンクション）機能という４倍密度画像とプログレッシブモード画像の切り換えを行うキーである。この４倍密度画像は、高画質映像を楽しむための画像である。プログレッシブモード画像は、高画質画像のまま静止画の文字等もくっきりと映し出す画像である。
操作キー４７はテレビジョンセット本体に内蔵のＢＳ（放送衛星）用のチューナーのチャンネルを固定するためのキーである。操作キー４８は、ＢＳの字幕を表示させるためのキーである。
【００１７】
操作キー４９〜操作キー５２は、図１のテレビジョン受像機１２の表示面１２Ａにおいて、表示内容の選択を行うためのキーであり、たとえば操作キー４９は青色であり、操作キー５０は赤色であり、操作キー５１は緑色であり、操作キー５２は黄色である。
【００１８】
カーソルキー４２の隣には、選局用の操作キー配置部５３が設けられている。選局用の操作キー配置部５３は、デジタル放送のテレビ局を選局するための操作キーを複数個配列している。
たとえば操作キー６０は地上波のデジタル放送を選択するキーであり、操作キー６１はＢＳのデジタル放送を選択するキーである。操作キー６２〜７３は、デジタル放送局の選局を行うためのキーである。
その他操作キー７４はテレビジョンの映像を表示するための操作キーであり、操作キー７５はラジオ放送を受けるための操作キーである。操作キー７６は独立データを外部から受けるためのキーであり、操作キー７７は別の映像を受けるためのキーである。
【００１９】
選局用の操作キー配置部５４は、地上波アナログ放送をダイレクトに選局するためのものであり、１から１２の選局用の操作キーを有している。
音量調整用の操作キー５５は、音量を＋方向あるいは−方向に押すことで任意に音量を調整することができる。チャンネル選択用の操作キー５６は、＋方向あるいは−方向に操作することで任意にチャンネルを選択することができる。
以上のように第１操作部４０のベース板４１には、カーソルキー４２やその他の操作キーおよび選局用の操作キー配置部５３と選局用の操作キー配置部５４等が順次長手方向に配列されている。
【００２０】
次に、第２操作部１００について図２と図３を参照して説明する。
第２操作部１００は、第１操作部４０あるいは本体２０と同様の材質で作られている。第１操作部４０と第２操作部１００および本体２０は、プラスチック、たとえばＡＢＳ（アクリロニトリルブタジエンスチレン）、ＰＣ（ポリカーボネート）、ＰＳ−ＨＩ（ハイインパクトスチロール）等を採用することができる。
第２操作部１００は、ベース板１０１を有しており、このベース板１０１はヒンジ部１４０のヒンジ回転部１４１，１４１と一体になっている。図２に示すようにベース板１０１の表面部１０２には、操作キー１０９，１１０，１１１，１１２や別の操作キー１２３，１２４，１２５，１２６，１２７，１２８が設けられている。
【００２１】
またベース板１０１の表面部１０２側には円形状の穴部１３３が形成されている。この穴部１３３は図３に示すようにベース板１０１の裏面部１３６側にも開口している。穴部１３３は、図２に示すように第２操作部１００を、第１操作部４０の一部分８５側に重ねて閉じた状態で、カーソルキー４２を表面部１０２側に表出することができるようになっている。これにより、操作者は第２操作部１００を閉じた状態でも、操作者はカーソルキー４２に直接触れてカーソル操作することができる。
【００２２】
図２の第２操作部１００の操作キー１０９〜１１２は、図３の第１操作部４０の操作キー４９〜５２に対応した位置にある。
図６は、一例として第２操作部１００の操作キー１０９と、第１操作部４０の操作キー４９の付近を示す図である。図６に示すように第２操作部１００が第１操作部４０の一部分８５に対して重ねた状態で閉じた場合には、操作キー１０９が操作キー４９の上部に位置するようになっている。操作キー１０９は弾性変形部１０９Ａを有しており、この弾性変形部１０９Ａは薄板状の部分であり、第２操作部１００のベース板１０１に対して固定されている。これにより操作者が指でＰ方向に操作キー１０９を押し込むことで、第１操作部４０の操作キー４９を押圧して操作することができる。
【００２３】
図２に戻ると、表面部１０２の６つの操作キー１２３〜１２８は、穴部１３３の周囲において同心円上に円弧状で配置されている。操作キー１２３〜１２８は、図３に示す第１操作部４０の操作キー４３〜４８に各々対応した位置にある。
図７は、一例として図２の操作キー１２３と第１操作部４０の操作キー４３の位置関係を示している。第２操作部１００が第１操作部４０の一部分８５に重なるようにして配置された状態では、操作キー１２３は操作キー４３に対して重なるように配置される。操作キー１２３は薄板状の支持部分１２３Ａを有しており、この支持部分１２３Ａはベース板１０１に固定されている。操作者がＰ方向に沿って操作キー１２３を押すことにより、操作キー４３は押圧により直接操作することができる。
【００２４】
図６における操作キー１０９と操作キー４９の対応関係は、図２の操作キー１１０〜１１２と図３の操作キー５０〜５２の対応位置関係と同様である。また図７における操作キー１２３と操作キー４３の対応関係は、図２の操作キー１２４〜１２８と図３の操作キー４４〜４８の対応位置関係と同様である。
【００２５】
図２と図４に示す操作キー１０９は、押すことによりテレビ本体の４つのビデオ入力端子の選択を行うことができ、操作キー１１０は押すことによりテレビ本体の２つのコンポーネント入力端子を選択することができる。
操作キー１１１は、ゲーム機専用の入力端子を選択することができる。操作キー１１２を押すことにより、表示画面を静止面としてメモリーすることができる。
【００２６】
その他に、図２に示すようにヒンジ部１４０には、４つの操作キー１３６〜１３９が配置されている。操作キー１３６を押すと消音操作を行うことができ、操作キー１３７を押すと画面表示を変えることができる。また操作キー１３８を押すと、二重音声操作を行うことができ、操作キー１３９は電源のオンオフ操作用のキーである。
【００２７】
第２操作部１００は、第２操作部１００を第１操作部４０の一部分８５に重ねた状態でもこの操作キー１３６〜１３９を操作することができるようにするために、切欠部１００Ｂを有している。これによって、第２操作部１００が第１操作部４０の一部分８５に対して閉じた状態であっても、開いた状態であっても、操作者が操作キー１３６〜１３９を直接操作することができる。
【００２８】
図２と図４に示す第２操作部１００の表面部１０２における操作キー１２３は、２画面表示を行うためのキーであり、操作キー１２４はお好み画質を表示して選択するためのキーであり、操作キー１２５は連動データを選択するためのキーである。操作キー１２６は、ＢＳデータ放送受信時にひとつ前の画面に戻るためのキーであり、操作キー１２７は番組説明用のキーであり、操作キー１２８は番組表を図１の表示面１２Ａに表示するためのキーである。
【００２９】
図２と図３に示すヒンジ部１４０は、上述した一対のヒンジ回転部１４１，１４１および開き動作制御機構部１５０を有している。
図３と図５に示すように、本体２０は、固定部１６０と固定状態解除部１７０を有している。固定部１６０は、第２操作部１００を、第１操作部４０の一部分８５に対して機械的に着脱可能に固定するための部分である。また固定状態解除部１７０は、固定部１６０により固定された第２操作部１００の固定状態を解除するための部分である。
固定部１６０は、図８と図９に示すように開口部１６１と２つの爪部１６２を有している。開口部１６１は図３と図５に示すようにベース板４１に形成された長方形状の穴である。一対の爪部１６２は、この開口部１６１の中に位置している突起状の爪である。
【００３０】
これに対して、図３に示すように第２操作部１００の裏面部１３６には突起１６３を有している。この突起１６３は、図８と図９に示すように２つの爪部１６４を有している。これらの爪部１６４は、図８のように爪部１６２にそれぞれかみ合うことで、第２操作部１００を第１操作部４０の一部分８５に対して、図２に示すように重なるようにして固定することができる。尚、図３に示す突起１６３はベース板１０１の自由端（回転端）に突出して形成されている。
【００３１】
図８と図９に示す固定状態解除部１７０は、押圧部１７１と操作バー１７２を有している。操作バー１７２の途中には、上述した爪部１６２，１６２が突出して形成されている。操作バー１７２の一端部には押圧部１７１が設けられており、操作バー１７２の他端部と、本体２０の内側部分の間には、付勢手段であるコイルスプリング１７３が配置されている。
【００３２】
図８に示す状態では、図２に示すように第２操作部１００が第１操作部４０に対して重なる状態で固定されている。突起１６３の爪部１６４，１６４が、対応する爪部１６２，１６２により機械的に引っ掛かり固定されている。
このような固定状態で図９に示すように操作者が押圧部１７１をＥ方向に押すことにより操作バー１７２の爪部１６２，１６２がＥ方向にコイルスプリング１７３の付勢力に抗して移動することにより、爪部１６４，１６４と爪部１６２，１６２の機械的なかみ合いが外れるので、図３に示すように第２操作部１００は第１操作部４０からヒンジ部１４０を用いてＲ方向に開くことができる。
【００３３】
次に、図１０等を参照して、第２操作部１００が第１操作部４０に重なって閉じている状態であるか、第２操作部１００が第１操作部４０から離れて開いている状態かを判断するための検知部１９０について説明する。
この検知部１９０は、図１０と図１１に示すように、押圧スイッチ１９１と押圧ピン１９２を有している。押圧スイッチ１９１は、図１０と図３に示すように第１操作部４０の一部分８５の領域内の穴１９１Ｃの中に配置されている。押圧ピン１９２は、図１０と図３に示すように第２操作部１００の裏面部１３６に突出して設けられている。
【００３４】
第１操作部４０の一部分８５に対して第２操作部１００が図２のように重なるようにして閉じると、図１０の押圧ピン１９２が押圧スイッチ１９１を押すことにより、押圧スイッチ１９１は、制御部２００に対してモードの変換指示信号Ｓを供給する。このモードの変換指示信号Ｓを制御部２００が受けることで、制御部２００は、図１１（Ａ）に示すようにリモートコマンダにおいて第１操作モードＭ１から、図１１（Ｂ）に示す第２操作モードＭ２に変ったことを判断する。
【００３５】
図１１（Ａ）の第１操作モードＭ１とは、第２操作部１００が第１操作部４０から離れて開いている状態の場合に、第１操作部４０における各操作キーにより操作項目が指令できることを示している。図１１（Ｂ）の第２操作モードＭ２とは、第２操作部１００が第１操作部４０に対して重なるようにして閉じている状態で、第２操作部１００における各操作キーの操作項目が指令できることを示している。
【００３６】
第１操作モードＭ１では、操作者は図５に示すように第１操作部４０の操作キー４３〜４８の各操作項目を入力することができる。そして、操作キー４９〜５２の操作項目も入力することができる。
これに対して図１１（Ｂ）の第２操作モードＭ２では、操作者は図４に示すように第２操作部１００の操作キー１２３〜１２８および操作キー１０９〜１１２の操作項目を入力することができる。このように第１操作モードＭ１と第２操作モードＭ２を制御部２００が選択して認識できるのは、上述したように図１０に示すモードの変換指示信号Ｓが押圧スイッチ１９１から制御部２００に送られるからである。
【００３７】
次に、図３のヒンジ部１４０の開き動作制御機構部１５０の構造の例について説明する。
開き動作制御機構部１５０は、図１２〜図１４にその構造例を示している。図１２において、開き動作制御機構部１５０は、ヒンジ回転部１４１，１４１の間であって本体２０側に位置している。開き動作制御機構部１５０は、ケース２３０、ダンパー部２４０、付勢部材としてのコイルスプリング２５０、連結部品２５３，２５４等を有している。
【００３８】
ケース２３０は、たとえばプラスチックにより作られており、ケース２３０の中間には壁２３１が形成されている。図１２と図１３に示すように、ケース２３０の一端部２３２と壁２３１の間には、ダンパー部２４０が設けられている。
ダンパー部２４０の構造例は図１４に示しており、ダンパー部２４０は、円筒状の収容体２４１と、軸部２４２を有している。収容体２４１の一端部は開口部２４３となっており、収容体２４１の他端部には、連結部２４４が形成されている。
図１４の収容体２４１の外周面には回り止め部２４５が形成されている。この回り止め部２４５は、図１２に示すように、ケース２３０の側壁２３６の内面に対して突き当てることにより、収容体２４１がケース２３０の中で回転しないようにするものである。
【００３９】
図１４の軸部２４２は、その一端部に連結部２４６が設けられている。軸部２４２は収容体２４１の中に収容されるとともに、軸部２４２の外周面には粘性物２４７が付着されている。この粘性物２４７としては、たとえばシリコングリス等である。
粘性物２４７が軸部２４２の外周面に付着されているので、軸部２４２が収容体２４１に対して回転する場合に、その回転力を粘性物２４７の粘性により低減することができる。
軸部２４２の連結部２４６は、連結部品２５４の穴２５５にはまることで一体化できる。連結部品２５４は、図１２と図１３に示すようにケース２３０の一端部２３２の穴２３８に対してはまり込んで、回転自在である。連結部品２５４の突起２５８が、図１２に示すようにヒンジ回転部１４１の穴１４１Ａにはまり込んでいる。
【００４０】
図１２に示すコイルスプリング２５０の一端部は、ダンパー部２４０の連結部２４４にはまり込んでいる。コイルスプリング２５０の他端部は、連結部品２５３の連結部２６０にはまり込んでいる。連結部品２５３は、図１３に示すように、ケース２３０の他端部２３３の穴２６１にはまり込んで回転可能である。連結部品２５３の突起２６２は、ヒンジ回転部１４１の穴１４１Ｂにはまり込んでいる。
【００４１】
このような構造にすることで、図２に示すように第２操作部１００が第１操作部４０の一部分８５に対して重なるようにして閉じた状態では、コイルスプリング２５０に付勢力（回転力）が蓄えられる。そして第２操作部１００が第１操作部４０から離れて回転し始めると、コイルスプリング２５０はその付勢力により第２操作部１００を図３に示すようにＲ方向に開く。
この時に、ダンパー部２４０があるので、その第２操作部１００のＲ方向への開くスピードを緩和もしくは減少させることができる。このことから、ダンパー部２４０は、第２操作部１００の開き動作における速度をコイルスプリング２５０の力を緩和することで、第２操作部１００をゆっくりと開くことができるので、操作上の高級感を演出することができるのである。
【００４２】
次に、上述したリモートコマンダ１０の操作例について説明する。
使用者が、図１に示すようにリモートコマンダを手Ｈで持ちながら電子機器であるテレビジョン受像機１２に対して必要な操作項目を指示する場合には、図３と図５に示すような第１操作モードＭ１と図２と図４に示すような第２操作モードＭ２により行うことができる。
たとえば図３と図５に示す第１操作モードＭ１を行う場合には、第２操作部１００は第１操作部４０から離して開いた状態になっており、操作者は指でたとえば操作キー４５を押すことにより、図１５に示すような画質、音量および画面モード（字幕入り）のモードを図１に示すテレビジョン受像機１２の表示面１２Ａに表示することができる。この画質調整モードのメニューの中で、図５と図３に示すカーソルキー４２を操作者が指で操作することにより、必要な項目の操作を行って決定することができる。
【００４３】
次に、図４と図２に示すように第２操作部１００を第１操作部４０に対して閉じた状態にする。この場合には、図３に示す第２操作部１００の突起１６３が図８に示すように固定部１６０の開口部１６１にはまり込み、そして突起１６３の爪部１６４，１６４が固定部１６０の爪部１６２，１６２に機械的にかみ合う。これにより第２操作部１００は、図２に示すようにヒンジ部１４０と図８に示す固定部１６０により第１操作部４０に対して確実に固定された状態になる。
この状態で、操作者が、たとえば図２と図４に示す操作キー１２８を押すことにより、図１６に示すような番組表３００を、表示面１２Ａに表示することができる。この番組表３００では、たとえば現時刻のものを選択するとその番組が映り、将来の時刻のものを選択するとその番組の予告が映るようになっている。表示面３００の中の選択項目を選択する場合には、図２と図４に示すカーソルキー４２を操作することにより行い、そして決定することができる。
このように第１操作部４０に対して第２操作部１００を離した状態の第１操作モードＭ１と、第１操作部４０に対して第２操作部１００を重ねて配置した場合の第２操作モードＭ２では、異なる操作項目を実行することができる。
【００４４】
次に、再び操作者が第２操作部１００を第１操作部４０から回転して離そうとする場合には、図８の固定状態から図９のように操作者が指で押圧部１７１をＥ方向に押す。これにより突起１６３の爪部１６４，１６４と固定部１６０の爪部１６２，１６２の機械的なかみ合いが外れるので、第２操作部１００は図３と図５に示すようにヒンジ回転部１４１，１４１を中心としてＲ方向に回転する。この場合の回転に要する付勢力は図１２に示すコイルスプリング２５０が与えるが、この時にはダンパー部２４０がその回転スピードを抑制もしくは減少させる。このために第２操作部１００が回転して開く速度を緩やかにすることができ、操作上の高級感を演出することができる。
【００４５】
ところで上述した実施の形態では、電子機器としてテレビジョン受像機を例に挙げており、入力装置としてはそのテレビジョン受像機に対して必要な操作項目を実行するための指令を与えるリモートコマンダを例に挙げている。
しかしこれに限らず、本発明の入力装置は、テレビジョン受像機以外の電子機器、たとえば光ディスクの記録再生装置、光ディスクの再生装置、ビデオカメラレコーダ、ビデオテープレコーダ、あるいはエアコンディショナーやその他の家庭用あるいは業務用の電子機器に対して、必要な操作項目を実行するための指令を与えるような入力装置に適用することができる。
【００４６】
図示の実施の形態では、第２操作部１００が第１操作部４０を覆う部分として第１操作部４０の一部分８５を設定している。しかしこれに限らず第２操作部は第１操作部のより広い領域を覆うような面積を有しても勿論構わない。また各操作キーは、操作ボタンとも呼ぶこともでき、操作キーの数や操作キーによる入力できる操作項目の種類の選択は任意に設定することができる。
第２操作部１００の色は、第１操作部４０の色と同じ色もしくは異なる色に設定することができる。
【００４７】
【発明の効果】
以上説明したように、本発明によれば、第１操作部に対して第２操作部を新たに設けて、操作項目を増やすことができるとともに、第２操作部を第１操作部に対して急激に開くことがなく高級感を演出することができる。さらに、第２操作部を第１操作部の少なくとも一部分に重なるように配置した状態であっても、第１操作部のカーソルキーを操作者が操作することができる。
【図面の簡単な説明】
【図１】本発明の入力装置として、電子機器に対する操作項目を実行する指令を与えるリモートコマンダの例を示す斜視図。
【図２】図１のリモートコマンダを示しており、第２操作部が第１操作部に対して閉じた状態を示している斜視図。
【図３】リモートコマンダにおいて第２操作部が第１操作部から回転して開いている状態を示す斜視図。
【図４】第２操作部が第１操作部に対して閉じた状態を示すリモートコマンダの平面図。
【図５】第２操作部が第１操作部から開いた状態を示すリモートコマンダの平面図。
【図６】第２操作部の操作キーと第１操作部の操作キーの対応関係の例を示す図。
【図７】第２操作部の操作キーと第１操作部の操作キーの対応関係の例を示す図。
【図８】第２操作部を第１操作部に対して固定する固定部およびその固定状態を解除するための固定状態解除部の例を示す図。
【図９】固定状態解除部により、第２操作部が第１操作部から開放された状態を示す図。
【図１０】第２操作部が第１操作部に対して重ねた状態で配置されている状態を検知する検知部の例を示す図。
【図１１】第１操作モードと第２操作モードの例を示す図。
【図１２】開き動作制御機構部の例を示す図。
【図１３】開き動作制御機構部を示す分解斜視図。
【図１４】開き動作制御機構部のダンパー部の構造例を示す分解斜視図。
【図１５】第１操作モードにおいて、１つの操作キーを操作した場合の表示例を示す図。
【図１６】第２操作モードにおいて、１つの操作キーを操作した場合の表示例を示す図。
【符号の説明】
１０・・・リモートコマンダ（入力装置）、１２・・・テレビジョン受像機（電子機器）、１２Ａ・・・表示面、４０・・・第１操作部、８５・・・第１操作部の一部分、１００・・・第２操作部、１４０・・・ヒンジ部、１５０・・・開き動作制御機構部、１６０・・・固定部、１７０・・・固定状態解除部、１９０・・・検知部、２４０・・・ダンパー部、２５０・・・コイルスプリング（付勢部材）、Ｓ・・・モードの変換指示信号
【図１】
0004491916.tif 000002
【図２】
0004491916.tif 000003
【図３】
0004491916.tif 000004
【図４】
0004491916.tif 000005
【図５】
0004491916.tif 000006
【図６】
0004491916.tif 000007
【図７】
0004491916.tif 000008
【図８】
0004491916.tif 000009
【図９】
0004491916.tif 000010
【図１０】
0004491916.tif 000011
【図１１】
0004491916.tif 000012
【図１２】
0004491916.tif 000013
【図１３】
0004491916.tif 000014
【図１４】
0004491916.tif 000015
【図１５】
0004491916.tif 000016
【図１６】
0004491916.tif 000017